(57)【要約】      （修正有）【課題】排水管をねじ込み式で接続できる利点を確保しつつ、ねじ込み式の接続作業が困難な接続箇所がある場合にも対応しやすい排水管用の継手を提供する。【解決手段】結合Ｔ字型継手７０は、第１継手構成部７０ａ及び第２継手構成部７０ｂを備えている。第１継手構成部７０ａの円筒部１２０及び１３０には排水管がねじ込まれる。第１継手構成部７０ａの円筒部１４０には第２継手構成部７０ｂの円筒部２１０がはめ込まれる。第２継手構成部７０ｂの円筒部２２０には排水管がねじ込まれる。円筒部１４０の内周面には凸状のはめ込み部１４５が、円筒部２１０の外周面には凸部が形成され、これらの凸部が互いに掛かり合う。円筒部２１０を円筒部１４０に対してスライド移動させることではめ込むことができる。【選択図】図２
0003199438.tif 000002
【実用新案登録請求の範囲】
【請求項１】
地中に埋設される排水管用の継手であって、
排水が流通する流通路がそれぞれの内部に形成された第１継手構成部及び第２継手構成部を備え、
前記第１継手構成部が、
外周面に凸状の螺旋部が形成された排水管の前記螺旋部がねじ込まれる第１ねじ込み部が内周面に形成された第１接続部と、
前記第２継手構成部がはめ込まれるはめ込み口が形成された第２接続部とを備え、
前記第２継手構成部が、
前記螺旋部がねじ込まれる第２ねじ込み部が内周面に形成された第３接続部と、
前記第２接続部にはめ込まれる第４接続部とを備え、
互いに掛かり合う一対のはめ込み部が、前記第２接続部に一方が形成され、前記第４接続部に他方が形成され、且つ、前記第４接続部を前記第２接続部に対して前記はめ込み口から前記第２接続部内に向かう方向に沿って相対的に平行移動させることではめ込むことができるように構成されていることを特徴とする、地中に埋設される排水管用の継手。
【請求項２】
前記一対のはめ込み部の一方が前記第２接続部の内周面に形成された凸部であり、他方が前記第４接続部の外周面に形成された凸部であることを特徴とする請求項１に記載の継手。
【請求項３】
前記第４接続部が前記第２接続部にはめ込まれた状態において、前記第４接続部が前記第２接続部に対して、前記第２ねじ込み部への前記螺旋部のねじ込みの回転方向に関して回転可能であるように前記一対のはめ込み部が形成されていることを特徴とする請求項１又は２に記載の継手。
【請求項４】
前記第１ねじ込み部と前記第２ねじ込み部の少なくともいずれか一方が、ねじ込まれた前記螺旋部を互いの間に挟持するように前記螺旋部のねじ込み経路に沿って延びた一対の螺旋部挟持部を構成していることを特徴とする請求項１〜３のいずれか１項に記載の継手。
【請求項５】
前記第１接続部と前記第２接続部の間の部分及び前記第３接続部と前記第４接続部の間の部分の少なくともいずれか一つが、前記流通路に沿って伸縮可能な蛇腹状であることを特徴とする請求項１〜４のいずれか１項に記載の継手。
【請求項６】
前記第１継手構成部が、前記第１接続部を複数備えていることを特徴とする請求項１〜５のいずれか１項に記載の継手。
【請求項７】
複数本の排水管と排水管同士を繋ぐ複数個の継手とを有する、地中に埋設される排水システムであって、
前記排水管の外周面に凸状の螺旋部が形成されており、
前記継手における前記排水管との接続部に、前記螺旋部がねじ込まれるねじ込み部が形成されており、
前記複数個の継手のうちの少なくともいずれか一つが、互いに接続された一対の継手構成部から構成されており、
前記一対の継手構成部が、互いの接続部における排水の流通路に沿って互いに対して相対的に平行移動させることではめ込むことができるように構成されていることを特徴とする排水システム。
【考案の詳細な説明】
【技術分野】
【０００１】
本考案は、地中に埋設される排水管用の継手及び排水システムに関する。
【背景技術】
【０００２】
灌漑や排水等のために、例えば表面が開孔した円筒状の排水管を地中に埋める暗渠工法が知られている（特許文献１）。
【先行技術文献】
【特許文献】
【０００３】
【特許文献１】特開２０１４−５２０１５
【考案の概要】
【考案が解決しようとする課題】
【０００４】
施工場所の面積や形に応じて、排水管同士は継手を用いて接続されることが多い。特許文献１に記載された排水管は、円筒状の外表面が凸状の螺旋形状となっている。この螺旋形状に対応して、例えばねじ込み式の継手を用いることが考えられる。ねじ込み式の接続方法は、ねじ構造によって排水管を少しずつ継手の奥まで押し込んでいける。このため、瞬間的に大きな力をかけなくても排水管を着実に継手の奥まではめ込んでいくことができるという利点がある。
【０００５】
しかし、排水管の設置場所が地中であることから、接続箇所によっては、ねじ込み式によって作業を進めることが困難な場合がある。例えば、設置場所の状況や作業効率等のため、排水管を埋設するための穴を大きく採掘できない場合、継手と排水管を接続する空間を十分に確保できないおそれがある。このような狭い穴内で作業する場合には、下方へと腕を伸ばして作業しなければならず、継手と排水管をねじ込んではめ込むことが難しい。また、ねじ込み式の接続方法によると、継手と排水管を接続する場合、これらのいずれか一方を他方に対して回転させる必要がある。例えば、排水管を継手に対して回転させる必要がある場合、狭い穴内で長い排水管を回転させ続けることは重労働である。
【０００６】
本考案の目的は、排水管をねじ込み式で接続できる利点を確保しつつ、ねじ込み式の接続作業が困難な接続箇所がある場合にも対応しやすい継手及びかかる継手を用いた排水システムを提供することにある。
【課題を解決するための手段】
【０００７】
本考案の継手は、地中に埋設される排水管用の継手であって、排水が流通する流通路がそれぞれの内部に形成された第１継手構成部及び第２継手構成部を備え、前記第１継手構成部が、外周面に凸状の螺旋部が形成された排水管の前記螺旋部がねじ込まれる第１ねじ込み部が内周面に形成された第１接続部と、前記第２継手構成部がはめ込まれるはめ込み口が形成された第２接続部とを備え、前記第２継手構成部が、前記螺旋部がねじ込まれる第２ねじ込み部が内周面に形成された第３接続部と、前記第２接続部にはめ込まれる第４接続部とを備え、互いに掛かり合う一対のはめ込み部が、前記第２接続部に一方が形成され、前記第４接続部に他方が形成され、且つ、前記第４接続部を前記第２接続部に対して前記はめ込み口から前記第２接続部内に向かう方向に沿って相対的に平行移動させることではめ込むことができるように構成されている。
【０００８】
本考案によると、第２継手構成部の第４接続部を、はめ込み口から第１継手構成部の第２接続部内に向かう方向に沿って、相対的に平行移動（スライド）させてはめ込んで第１継手構成部と第２継手構成部を接続する。したがって、第２継手構成部を平行移動させて第１継手構成部と接続させることができるため、第１継手構成部及び第２継手構成部をねじ込んで接続しなくてもよい。
【０００９】
また、第１継手構成部及び第２継手構成部の２つの部品から継手が構成されている。そして、第１継手構成部の第１接続部及び第２継手構成部の第３接続部のそれぞれが排水管とねじ込み式で接続可能である。したがって、例えば、第１継手構成部及び第２継手構成部を互いに接続する前にそれぞれをねじ込み式で排水管に接続することができる。例えば、仮に継手の一方の接続部に排水管がつながれた状態で、他方の接続部に排水管をねじ込んで接続する場合、長い排水管を回転させなければならず、接続が比較的困難になる。これに対し、本考案では、例えば各継手構成部を互いに分離した状態で排水管と接続し、その後で継手構成部同士をスライドしてはめ込むことができる。したがって排水管を各継手構成部にねじ込む作業が比較的容易であると共に、継手構成部同士もスライドで互いにはめ込めるので、例えば作業場所が狭くても、比較的作業しやすい。
【００１０】
以上より、ねじ込み式の接続作業が困難な接続箇所において、本考案に係る継手を用いて排水管同士を接続することにより、継手と排水管の設置場所が比較的狭い地中でも排水管同士を接続しやすい。そこで、例えば、本考案の継手をねじ込み式が困難な接続箇所に選択的に用いると、排水管同士をねじ込み式で接続できる利点を損ないにくい。つまり、本考案によれば、排水管をねじ込み式で接続できる利点を確保しつつ、ねじ込み式の接続作業が困難な接続箇所がある場合にも対応しやすい。
【００１１】
また、本考案においては、前記一対のはめ込み部の一方が前記第２接続部の内周面に形成された凸部であり、他方が前記第４接続部の外周面に形成された凸部であることが好ましい。これによると、第４接続部の外周面に形成された凸部と第２接続部の内周面に形成された凸部とが掛かり合うように第４接続部を第２接続部にはめ込むことで、確実に第１継手構成部と第２継手構成部を接続させることができる。
【００１２】
また、本考案においては、前記第４接続部が前記第２接続部にはめ込まれた状態において、前記第４接続部が前記第２接続部に対して、前記第２ねじ込み部への前記螺旋部のねじ込みの回転方向に関して回転可能であるように前記一対のはめ込み部が形成されていることが好ましい。これによると、第４接続部が第２接続部にはめ込まれた状態であっても第４接続部が第２接続部に対してねじ込みの回転方向に回転する。このため、第４接続部が第２接続部にはめ込まれた状態のまま、螺旋部のねじ込みを締める方向に第２継手構成部全体を排水管に対して回転させることができる。したがって、排水管と第３接続部のねじ込みの接続が緩んでいる場合に、排水管を第２継手構成部に対して回転させなくても排水管と第３接続部のねじ込みの接続を締め直すことができる。なお、「ねじ込みの回転方向に関して回転可能である」とは、第４接続部が第２接続部にはめ込まれた状態で第４接続部が第２接続部に対してねじ込みと反対の回転方向（排水管を緩める方向）に回転するものも含む。
【００１３】
また、本考案においては、前記前記第１ねじ込み部と前記第２ねじ込み部の少なくともいずれか一方が、ねじ込まれた前記螺旋部を互いの間に挟持するように前記螺旋部のねじ込み経路に沿って延びた一対の螺旋部挟持部を構成していることが好ましい。これによると、凸状の螺旋部が形成された排水管を確実に接続させることができ、施工中及び施行後に排水管が継手から外れるのを防ぐことができる。
【００１４】
また、本考案においては、前記第１接続部と前記第２接続部の間及び前記第３接続部と前記第４接続部の間の少なくともいずれか一つが、前記流通路に沿って伸縮可能な蛇腹状であることが好ましい。これによると、施工場所で継手の角度を変更させる必要がある場合でも、蛇腹状の箇所を折り曲げることで対応できる。また、排水管と継手を接続した状態で全体を巻き取って保持することがあるが、この場合、継手に蛇腹状の箇所があることで、かかる箇所に曲げ応力を逃がすことができる。
【００１５】
また、本考案においては、前記第１継手構成部が、前記第１接続部を複数備えていることが好ましい。これによると、第１継手構成部が、Ｔ字、Ｙ字、又は十字等の形状となり、施工場所に応じた排水に対応することができる。
【００１６】
本考案に係る排水システムは、複数本の排水管と排水管同士を繋ぐ複数個の継手とを有する、地中に埋設される排水システムであって、前記排水管の外周面に凸状の螺旋部が形成されており、前記継手における前記排水管との接続部に、前記螺旋部がねじ込まれるねじ込み部が形成されており、前記複数個の継手のうちの少なくともいずれか一つが、互いに接続された一対の継手構成部から構成されており、前記一対の継手構成部が、互いの接続部における排水の流通路に沿って互いに対して相対的に平行移動させることではめ込むことができるように構成されている。
【００１７】
本考案によると、外周面に凸状の螺旋部が形成された排水管をねじ込むことができるねじ込み部を有する複数個の継手がある。その継手の少なくとも一つが互いに接続された一対の継手構成部から構成されていることで、一対の継手構成部を互いの接続部における排水の流通路に沿って互いに対して相対的に平行移動させることではめ込むことが可能となっている。したがって、一方の継手構成部を他方の継手構成部にねじ込んで接続しなくてもよい。
【００１８】
また、各継手構成部のねじ込み部と排水管とは、ねじ込み式で接続可能である。したがって、例えば、各継手構成部を互いに接続する前にそれぞれをねじ込み式で排水管に接続することができる。例えば、仮に継手の一方の接続部に排水管がつながれた状態で、他方の接続部に排水管をねじ込んで接続する場合、長い排水管を回転させなければならず、接続が比較的困難になる。これに対し、本考案では排水管が接続されていない各継手構成部を単独で排水管に接続し、その上で継手構成部同士をスライドではめ込める。したがって継手構成部を単独で排水管にねじ込めるので、ねじ込みの作業が比較的容易である。
【００１９】
以上より、ねじ込み式の接続作業が困難な接続箇所において、複数の継手構成部から構成された継手を用いて排水管同士を接続することにより、継手と排水管の設置場所が比較的狭い地中でも排水管同士を接続しやすい。そこで、例えば、複数の継手構成部から構成された継手をねじ込み式が困難な接続箇所に選択的に用いると、排水管同士をねじ込み式で接続できる利点を損ないにくい。つまり、本考案によれば、排水管をねじ込み式で接続できる利点を確保しつつ、ねじ込み式の接続作業が困難な接続箇所がある場合にも対応しやすい。
【図面の簡単な説明】
【００２０】
【図１】図１は、本考案の一実施形態である排水システムの概略図である。
【図２】図２は、本考案の一実施形態である結合Ｔ字型継手の平面図である。
【図３】図３は、第２継手構成部と排水管の接続部付近における、図２のIII−III’断面に関する一部断面を含む部分拡大図である。
【図４】図４（ａ）は、第１継手構成部と第２継手構成部の接続部付近における図２のIII−III’断面の部分拡大図である。図４（ｂ）は、図４（ａ）の部分拡大図である。
【図５】図５は、第１継手構成部と第２継手構成部の接続方法を示している。
【図６】図６、本実施形態に係る結合Ｉ字型継手の第１継手構成部と第２継手構成部の接続方法を示している。
【図７】図７は、本実施形態に係る一体型のＩ字型継手である。
【図８】図８は、本実施形態に係る一体型のＴ字型継手である。
【考案を実施するための形態】
【００２１】
本考案の一実施形態に係る排水システム１について、図１〜図８を参照しつつ説明する。なお、図２〜図５のＡ〜Ｄの矢印で示す各方向は、図２中の上下左右の各方向に対応する。以下、これらをＡ方向、Ｂ方向、Ｃ方向及びＤ方向とする。また、図２中の上下方向をＡＢ方向とし、左右方向をＣＤ方向とする。本実施形態に係る排水システム１は、灌漑や排水等のために必要な経路に沿って、地中に排水網を構築したものである。排水システム１は、図１に示すように、排水管５０、並びに、Ｔ字型継手１０（図８）、Ｉ字型継手２０（図７）、十字型継手３０、Ｙ字型継手４０、第１継手構成部６０ａ及び第２継手構成部６０ｂからなる結合Ｉ字型継手６０、第１継手構成部７０ａ及び第２継手構成部７０ｂからなる結合Ｔ字型継手７０、第１継手構成部８０ａ及び第２継手構成部８０ｂからなる結合Ｙ字型継手８０等の各種継手から構成されている。
【００２２】
排水管５０は円筒状の管であり、長さの異なる複数種類（例えば、４ｍ〜７０ｍ）のものがある。排水管５０は、図２に示すように、複数の細長い帯状の板状部材５１を有している。板状部材５１は円筒を構成するように並んでいる。かかる円筒の外表面には、円筒から外向きに突出した凸部である螺旋部５２が固定されている。板状部材５１及び螺旋部５２の間には複数の開孔部５３が形成されている。開孔部５３を通じて排水管５０内に地中の水が流入する。流入した水は、排水管５０内を所定の排水場所へと流れていく。排水管５０は、ポリエチレン等の合成樹脂で形成されている。
【００２３】
本実施形態の継手１０〜８０は、Ａ種及びＢ種の２つの種類に分類される。Ａ種の継手は、２つの継手構成部から構成された継手６０〜８０である。Ｂ種の継手は、全体が一体成型された継手１０〜４０である。
【００２４】
まず、Ａ種の継手について、結合Ｔ字型継手７０を中心に説明する。結合Ｔ字型継手７０は、図１及び図２に示すように、３本の排水管５０を互いに接続するために用いられる。結合Ｔ字型継手７０は、図２及び図５に示すように、第１継手構成部７０ａ及び第２継手構成部７０ｂから構成されている。第１継手構成部７０ａはＴ字型の構造をしている。第１継手構成部７０ａは、Ｃ方向に開口する開口部１２１を有した円筒部１２０（第１接続部）、Ｄ方向に開口する開口部１３１を有した円筒部１３０（第１接続部）、及びＢ方向に開口する開口部１４１（はめ込み口）を有した円筒部１４０（第２接続部）を有している。円筒部１２０、１３０及び１４０は胴体部１５０によって互いに接続されている。胴体部１５０内には空洞が形成されており、この空洞を介して円筒部１２０、１３０及び１４０同士が互いに連通している。胴体部１５０は、円筒部１２０、１３０、及び１４０に比べて、外径が一回り小さい。
【００２５】
円筒部１２０及び１３０には、それぞれ排水管５０がねじ込まれている。開口部１２１付近の円筒部１２０の外表面には、円筒部１２０の周方向に沿った凸部１２２及び１２３が形成されている。同様に、開口部１３１付近の円筒部１３０の外表面には、円筒部１３０の周方向に沿った凸部１３２及び１３３が形成されている。円筒部１２０には、排水管５０をねじ込むためのねじ込み部１２５（第１ねじ込み部）が合計で４つ形成されている。ねじ込み部１２５は、円筒部１２０の内表面に凸部として形成されていると共に、円筒部１２０の外表面には上記凸部に対応する凹部として表れている。ねじ込み部１２５は、ＡＢ方向に対して傾斜した方向に沿っている。ねじ込み部１２５の傾斜方向は、円筒部１２０にねじ込まれた螺旋部５２が沿う方向である。円筒部１３０には、４つのねじ込み部１３５（第１ねじ込み部）が形成されている。円筒部１３０におけるねじ込み部１３５の構成は、円筒部１２０におけるねじ込み部１２５と同様であるため、説明を省略する。
【００２６】
円筒部１２０又は１３０に排水管５０をねじ込む際には、開口部１２１又は１３１からＣＤ方向に排水管５０を円筒部１２０又は１３０に挿入し、ねじ入れていく。また、円筒部１２０又は１３０にねじ込まれた排水管５０は、ねじ込みの際とは反対方向にねじることで円筒部１２０又は１３０から取り外すことが可能である。
【００２７】
開口部１４１付近の円筒部１４０の外表面には、円筒部１４０の周方向に沿った凸部１４２が形成されている。円筒部１４０には、図２、図４及び図５に示すように、第２継手構成部７０ｂ（における後述の円筒部２１０）がはめ込まれている。円筒部１４０には、第２継手構成部７０ｂをはめ込むためのはめ込み部１４５が合計で１０個形成されている。はめ込み部１４５は、円筒部１４０の内表面に凸部として形成されている（図４参照）と共に、円筒部１４０の外表面には上記凸部に対応する凹部として表れている。図２及び図５には５つのはめ込み部１４５が表れている。図２及び図５に表れた面の裏側には５つのはめ込み部１４５が同様に形成されている。５つのはめ込み部１４５のうちの４つは、ＡＢ方向に並んだ２つずつからなる２列を構成している。各列において、２つのはめ込み部１４５は、互いの間にＡＢ方向に関して所定の間隔を挟んで離隔している。一方の列に属する２つのはめ込み部１４５は、他方の列に属する２つのはめ込み部１４５と、ＡＢ方向に関して同じ位置に配置されている。５つのはめ込み部１４５のうちの残り１つは、ＡＢ方向及びＣＤ方向の両方向に関して上記４つのはめ込み部１４５の中央に配置されている。各はめ込み部１４５は、図４（ｂ）に示すように、Ａ方向を法線方向とする表面１４５ａと、円筒部２１０に向かって、斜め右下方に面した表面１４５ｂとを有している。
【００２８】
第２継手構成部７０ｂは、図２、図４及び図５に示すように、Ａ方向に開口する開口部２１１を有した円筒部２１０（第４接続部）、Ｂ方向に開口する開口部２２１を有した円筒部２２０（第３接続部）、及び、内部に空洞を有し蛇腹の形状をした蛇腹部２００から構成されている。なお、蛇腹部２００の代わりに円筒状の胴体部が設けられてもよい。
【００２９】
円筒部２１０は、第１継手構成部７０ａの円筒部１４０にはめ込まれている。円筒部２１０の外表面には、周方向に沿って円筒部２１０の全周にわたって延びた凸部２１２、２１３、及び２１４（はめ込み部）が形成されている。凸部２１２〜２１４は、Ｂ方向を法線方向とする表面２１２ａ〜２１４ａと、円筒部１４０に向かって、図４（ａ）及び図４（ｂ）中、斜め左上方に面した表面２１２ｂ〜２１４ｂとを有している。表面２１２ｂ〜２１４ｂは、円筒部１４０の表面１４５ｂと対向しつつ近接している。凸部２１２と凸部２１３の間には凹部２１５が、凸部２１３と凸部２１４の間には凹部２１６が、凸部２１４と蛇腹部２００の間には凹部２１７が形成されている。円筒部２１０が円筒部１４０にはめ込まれた状態において、円筒部１４０に形成された１０個のはめ込み部１４５が凹部２１５〜２１７内に位置している。これにより、はめ込み部１４５と凸部２１２〜２１４が互いに掛かり合うことで、第１継手構成部７０ａと第２継手構成部７０ｂとが互いにＡＢ方向にずれるのが抑制されている。この状態では、互いに平行な表面１４５ａと表面２１２ａ〜２１４ａとが、ＡＢ方向に対向しつつ近接している。このため、第２継手構成部７０ｂが第１継手構成部７０ａに対してＢ方向に抜けてしまうのが特に抑制されている。一方、表面１４５ａ及び表面２１２ａ〜２１４ａは、いずれも円筒部１４０又は２１０の周方向に沿っている。したがって、円筒部２１０が円筒部１４０にはめ込まれた状態において、例えば円筒部２１０を円筒部１４０に対して周方向に回転させることが可能である。
【００３０】
第２継手構成部７０ｂは、第１継手構成部７０ａに向けて、図５の矢印方向に沿って相対的に平行移動（スライド移動）させることにより、第１継手構成部７０ａにはめ込むことができる。図５の矢印方向は、開口部１４１から円筒部１４０内に向かう方向であって、円筒部１４０及び２２０における排水の流通路に沿った一方向に対応する。このとき、円筒部１４０と円筒部２１０が表面１４５ｂ及び表面２１２ｂ〜２１４ｂを互いに接触させつつ移動する。図４（ｂ）に示すように、表面１４５ｂが円筒部２１０に向かって斜め方向に面していると共に、表面２１２ｂ〜２１４ｂも円筒部１４０に向かって斜め方向に面していることで、表面１４５ｂと表面２１２ｂ〜２１４ｂとの間の角度は比較的小さい角度となっている。また、表面１４５ｂと表面２１２ｂ〜２１４ｂは、スライド方向に対して傾斜している。このため、表面１４５ｂ及び表面２１２ｂ〜２１４ｂが互いに接触しつつ円筒部１４０と円筒部２１０が移動しても、表面同士に生じる抵抗が比較的小さい。したがって、円筒部２１０を円筒部１４０に差し込みやすい。
【００３１】
開口部２２１付近の円筒部２２０の外表面には、円筒部２１０の周方向に沿った凸部２２５が形成されている。円筒部２２０には排水管５０がねじ込まれている。円筒部２２０には、排水管５０をねじ込むためのねじ込み部２２２（第２ねじ込み部）が合計で８つ形成されている。図２及び図５にはこのうち６つが表れている。ねじ込み部２２２は、円筒部２２０の内表面に凸部として形成されている（図３参照）と共に、円筒部２２０の表面には上記凸部に対応する凹部として表れている。ねじ込み部２２２は、螺旋部５２のねじ込み経路に沿っている。８つのねじ込み部２２２は、２個ずつからなる４対のねじ込み対２２４（螺旋部挟持部）を構成している。各ねじ込み対２２４は、図３に示すように、ＡＢ方向に関して螺旋部５２を挟み込んで支持している。ねじ込み対２２４が螺旋部５２を挟持するので、排水管５０が確実に円筒部２２０に接続されていると共に、円筒部２２０から排水管５０が外れるのが防止される。
【００３２】
円筒部２２０に排水管５０をねじ込む際には、開口部２２１からＡＢ方向に排水管５０を円筒部２２０に挿入し、ねじ入れていく。また、円筒部２２０にねじ込まれた排水管５０は、ねじ込みの際とは反対方向にねじることで円筒部２２０から取り外すことが可能である。
【００３３】
結合Ｔ字型継手７０以外のＡ種の継手について説明する。結合Ｉ字型継手６０は、図１に示すように、２本の排水管５０を互いに接続するために用いられる。結合Ｉ字型継手６０は、図６に示すように、第１継手構成部６０ａ及び第２継手構成部６０ｂからなる。第１継手構成部６０ａは、円筒部２２０と同様な構成の円筒部３１０と、円筒部１４０と同様な構成の円筒部３２０からなる。第２継手構成部６０ｂは、第２継手構成部７０ｂと同一である。円筒部３２０の開口部３２１から第２継手構成部６０ｂ（７０ｂ）の円筒部２１０がはめ込まれる。第１継手構成部６０ａの円筒部３１０には、開口部３１１から排水管５０がねじ込まれる。第２継手構成部６０ｂ（７０ｂ）の円筒部２２０には、開口部２２１から排水管５０がねじ込まれる。
【００３４】
結合Ｙ字型継手８０は、図１に示すように、３本の排水管５０を互いに接続するために用いられる。結合Ｙ字型継手８０は、互いに接続された第１継手構成部８０ａ及び第２継手構成部８０ｂからなる。第１継手構成部８０ａは第１継手構成部７０ａと、第２継手構成部８０ｂは第２継手構成部７０ｂと同一である。つまり、結合Ｙ字型継手８０は、結合Ｔ字型継手７０と同様の構成を有している。一方、第２継手構成部８０ｂ（７０ｂ）の蛇腹部２００は、図１に示すように、結合Ｙ字型継手８０全体がＹ字型になるように折り曲げられている。このように、結合Ｙ字型継手８０は、結合Ｔ字型継手７０を変形させることでＹ字型の継手として使用したものである。
【００３５】
次に、Ｂ種の継手である継手１０〜４０について説明する。Ｉ字型継手２０は、図１に示すように２本の排水管５０を互いに接続するために用いられる。図７に示すように、Ｉ字型継手２０は、円筒部１２０と同様な構成と機能を有する円筒部５１０及び５２０が一体成型されて構成されている。開口部５１１から円筒部５１０内に排水管５０がねじ込まれると共に、開口部５２１から円筒部５２０内に排水管５０がねじ込まれる。
【００３６】
Ｔ字型継手１０は、図１に示すように３本の排水管５０を互いに接続するために用いられる。図８に示すように、Ｔ字型継手１０は、円筒部１２０と同様な構成と機能を有する円筒部６１０、６２０、及び６３０を有している。円筒部６１０、６２０及び６３０は、胴体部６５０によってＴ字型を構成するよう互いに接続されている。胴体部６５０内には空洞が形成されており、この空洞を介して円筒部６１０、６２０及び６３０同士が互いに連通している。
【００３７】
十字型継手３０は、図１に示すように４本の排水管５０を互いに接続するために用いられる。Ｙ字型継手４０は、３本の排水管５０を互いに接続するために用いられる。詳細については図示していないが、円筒部１２０と同様な４つの円筒部が、十字型を形成するように空洞の胴体部によって互いに接続されることで、十字型継手３０が構成されている。Ｙ字型継手４０も、同様に円筒部１２０と同様な３つの円筒部が、Ｙ字型を形成するように空洞の胴体部によって互いに接続されることで構成されている。
【００３８】
以上説明した排水システム１において、Ａ種の継手を使用すると、以下のような効果がある。上記のとおり、第１継手構成部７０ａと第２継手構成部７０ｂとを互いに平行移動しつつはめ込むことで接続できる。したがって、ねじ込みの作業が困難な場所において、第１継手構成部７０ａ及び第２継手構成部７０ｂをねじ込んで接続しなくてもよい。
【００３９】
排水管５０を継手に接続する際は、第１継手構成部７０ａ及び第２継手構成部７０ｂを互いに接続する前にそれぞれを排水管５０にねじ込んで接続することができる。
【００４０】
一方、Ｂ種の継手に排水管５０を接続する場合、例えば、Ｔ字型継手１０の円筒部６１０〜６３０のいずれかに１本目の排水管５０をねじ込んだ後は、２本目及び３本目のいずれの排水管５０を接続する場合にも、すでに排水管５０がつながれたＴ字型継手１０を排水管５０ごと回転させるか、新たにつなぐ排水管５０を回転させなければならない。よって、長い排水管５０を必ず回転させなければならず、接続が比較的困難になる。
【００４１】
これに対し、Ａ種の継手を使用する場合、第１継手構成部７０ａ及び第２継手構成部７０ｂを互いに分離した状態で排水管５０と接続し、その後で第１継手構成部７０ａ及び第２継手構成部７０ｂ同士をスライドしてはめ込むことができる。または、後述のとおり、第１継手構成部７０ａ及び第２継手構成部７０ｂ同士をはめ込んだ後でも、例えば、第２継手構成部７０ｂを排水管５０に対して回転させることができる。したがって排水管５０を第１継手構成部７０ａ及び第２継手構成部７０ｂにねじ込む作業が比較的容易であると共に、第１継手構成部７０ａ及び第２継手構成部７０ｂ同士もスライドで互いにはめ込めるので、例えば作業場所が狭くても、比較的作業しやすい。２つの継手構成部からなる結合Ｉ字型継手６０及び結合Ｙ字型継手８０についても同様である。
【００４２】
以上のような特性を有するＡ種及びＢ種の継手を用いることで、排水管５０を継手にねじ込む作業をしやすい接続箇所においてはＢ種の継手を用いると共に、排水管５０を継手にねじ込む作業が困難な接続場所にはＡ種の継手を用いることができる。つまり、排水システム１においてねじ込み式が困難な接続箇所にＡ種の継手を選択的に用いることで、排水管５０同士をねじ込み式で接続できる利点を損なうことなく、ねじ込み式が困難な場所にも対応することができる。
【００４３】
また、結合Ｔ字型継手７０においては、第２継手構成部７０ｂの円筒部２１０に形成された凸部２１２〜２１４と第１継手構成部７０ａの円筒部１４０に形成されたはめ込み部１４５とが掛かり合うように円筒部２１０を円筒部１４０にはめ込むことで、確実に第１継手構成部７０ａと第２継手構成部７０ｂを接続させることができる。
【００４４】
また、第２継手構成部７０ｂの円筒部２１０が第１継手構成部７０ａの円筒部１４０にはめ込まれた状態であっても、円筒部２１０が円筒部１４０に対して周方向（排水管５０のねじ込みの回転方向）に回転する。このため、円筒部１４０が円筒部２１０にはめ込まれた状態のまま、排水管５０と円筒部２２０のねじ込みを締める方向に第２継手構成部７０ｂを排水管５０に対して回転させることができる。したがって、排水管５０と円筒部２２０のねじ込みの接続が緩んでいる場合に、排水管５０を第２継手構成部７０ｂに対して回転させなくても排水管５０と円筒部２２０のねじ込みの接続を締め直すことができる。
【００４５】
結合Ｔ字型継手７０の第２接手構成部７０ｂにおいては、蛇腹形状の蛇腹部２００を有している。これによると、施工場所で継手の角度を変更させる必要がある場合でも、蛇腹部２００の箇所を折り曲げることで対応できる。さらに、排水管と継手を接続した状態で全体を巻き取って保持することがあるが、この場合、継手に蛇腹状の箇所があることで、かかる箇所に巻き取りによる曲げ応力を逃がすことができる。
【００４６】
（変形例）
以上は、本考案の好適な実施形態についての説明であるが、本考案は上述の実施形態に限られるものではなく、課題を解決するための手段に記載された範囲の限りにおいて様々な変更が可能なものである。以下、上述の実施形態に係る変形例について説明する。また、上述の実施形態と共通の部分については上述と同じ符号を用いると共に、説明を適宜省略する。
【００４７】
上述の実施形態では、円筒部１２０及び１３０のねじ込み部１２５及び１３５は、円筒部２２０と異なり、ねじ込み部１２５及び１３５が２個ずつからなるねじ込み対を形成していない。しかし、円筒部２２０のように、ねじ込み対を形成していてもよい。
【００４８】
上述の実施形態では、ねじ込み部１２５及び１３５は、円筒部１２０及び１３０に対して４つ形成されているが、５つ以上でもよいし、３つ以下でもよい。
【００４９】
上述の実施形態では、２つのねじ込み部２２２が螺旋部５２をＡＢ方向に挟み込むねじ込み対２２４を形成している。しかし、２つのねじ込み部２２２が螺旋部５２をＡＢ方向に挟み込むと共に、当該２つのねじ込み部２２２の一方との間にＡＢ方向に螺旋部５２を挟み込むねじ込み部２２２がさらに形成されていてもよい。また、ねじ込み対２２４を形成しないねじ込み部２２２が設けられてもよい。また、上述の実施形態では円筒部２２０に対して、ねじ込み部２２２が８つ形成されているが、９つ以上でもよいし、７つ以下でもよい。
【００５０】
上述の実施形態では、図２中、５つのはめ込み部１４５のうちの４つがＡＢ方向に並んだ２つずつからなる２列を構成している。これについて、図２中、３列以上を構成するはめ込み部１４５が設けられてもよい。また、図２中、５つのはめ込み部１４５のうちの１つが列を構成していないが、すべてのはめ込み部１４５が列を構成するように形成されてもよい。
【００５１】
上述の実施形態では、Ａ種の継手として、排水管５０の接続部を２つ有する結合Ｉ字型継手６０、並びに、３つ有する結合Ｔ字型継手７０及び結合Ｙ字型継手８０が用いられている。しかし、Ａ種の継手としては、排水管５０の接続部を４つ有する十字型の継手や、５つ以上有する継手が用いられてもよい。排水管５０の接続部としては、円筒部１２０や円筒部２２０と同じ構成が用いられればよい。
【００５２】
上述の実施形態では、結合Ｔ字型継手７０の第２継手構成部７０ｂの蛇腹部２００を折り曲げることで、結合Ｙ字型継手８０を形成している。しかし、蛇腹部のような折り曲げ可能な構成の代わりに、はじめから折り曲げられて成型された胴体部が設けられてもよい。また、結合Ｔ字型継手７０の第１継手構成部７０ａの胴体部１５０が蛇腹の構造を有していてもよい。
【００５３】
上述の実施形態では、円筒部１４０の内周面に凸部として形成されたはめ込み部１４５と、円筒部２１０の外周面に形成された凸部２１２〜２１４とが掛かり合うように、円筒部２１０が円筒部１４０にはめ込まれている。しかし、凸部が凹部に掛かり合うようにはめ込み部が形成されてもよい。例えば、円筒部１４０の内周面に凹部が形成され、円筒部２１０の外周面に形成された凸部が上記凹部と掛かり合うように円筒部１４０が円筒部２１０にはめ込まれてもよい。
【００５４】
上述の実施形態では、Ａ種の継手が、互いに接続される２つの継手構成部からなる。そして、２つの継手構成部のそれぞれは一体成型された部品である。しかし、継手構成部のそれぞれがさらに複数の部品からなり、これらの部品を互いに固定したり接続したりすることで構成されていてもよい。例えば、結合Ｔ字型継手７０において、胴体部１５０と円筒部１２０又は１３０と接続可能に構成されており、これらが互いに接続されることで第１継手構成部７０ａが構成されていてもよい。また別の例として、第１継手構成部７０ａにおける円筒部１３０の代わりに円筒部１４０が設けられており、この円筒部１４０に第２継手構成部７０ｂが接続されていてもよい。つまり、胴体部１５０と１つの円筒部１２０及び２つの円筒部１４０とが一体成型されており、２つの円筒部１４０に２つの第２継手接続部７０ｂがそれぞれ接続されることで継手が構成されてもよい。
【符号の説明】
【００５５】
１  排水システム、５０  排水管、５２  螺旋部、６０  結合Ｉ字型継手、７０  結合Ｔ字型継手、７０ａ  第１継手構成部、７０ｂ  第２継手構成部、８０  結合Ｙ字型継手、１２０及び１３０  円筒部、１２５及び１３５  ねじ込み部、１４０  円筒部、１４１  開口部、１４５  はめ込み部、２００  蛇腹部、２１０  円筒部、２１２〜２１４  凸部、２２０  円筒部、２２２  ねじ込み部、２２４  ねじ込み対
【図１】
0003199438.tif 000003
【図２】
0003199438.tif 000004
【図３】
0003199438.tif 000005
【図４】
0003199438.tif 000006
【図５】
0003199438.tif 000007
【図６】
0003199438.tif 000008
【図７】
0003199438.tif 000009
【図８】
0003199438.tif 000010